(57)【要約】  ユーザ端末は、セルにおいてマスタ情報ブロック（ＭＩＢ）を受信する受信部と、前記セルの周波数範囲及び前記ＭＩＢ内の第１のパラメータに基づいて決定される値に基づいて、前記ＭＩＢ又は下り制御チャネルに関するセル固有の設定情報のどちらに基づいて、共通サーチスペース用の制御リソースセットを設定するかを決定する制御部と、を具備する。
2020065862.tif 000002
【特許請求の範囲】
【請求項１】
セルにおいてマスタ情報ブロック（ＭＩＢ）を受信する受信部と、
前記セルの周波数範囲及び前記ＭＩＢ内の第１のパラメータに基づいて決定される値に基づいて、前記ＭＩＢ又は下り制御チャネルに関するセル固有の設定情報のどちらに基づいて、共通サーチスペース用の制御リソースセットを設定するかを決定する制御部と、
を具備することを特徴とするユーザ端末。
【請求項２】
前記第１のパラメータに基づいて決定される値が前記周波数範囲毎に定められる所定の閾値以下である場合、前記制御部は、前記ＭＩＢ内の第２のパラメータに基づいて前記制御リソースセットを設定することを特徴とする請求項１に記載のユーザ端末。
【請求項３】
前記第１のパラメータに基づいて決定される値が前記周波数範囲毎に定められる所定の閾値より大きい場合、前記制御部は、前記セル固有の設定情報内のパラメータに基づいて前記制御リソースセットを設定することを特徴とする請求項１又は請求項２に記載のユーザ端末。
【請求項４】
前記制御部は、前記第１のパラメータに基づいて、同期信号ブロックとサブキャリア数で示される全体のリソースブロックとの間の周波数領域のオフセットを決定することを特徴とする請求項１から請求項３のいずれかに記載のユーザ端末。
【請求項５】
前記制御部は、前記第２のパラメータに基づいて、前記制御リソースセット内のリソースブロック数及びシンボル数の少なくとも一つを決定することを特徴とする請求項２に記載のユーザ端末。
【請求項６】
前記セル固有の設定情報は、システム情報ブロック１又は無線リソース制御（ＲＲＣ）再構成メッセージに含まれることを特徴とする請求項１から請求項５のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。【０００４】
ＮＲにおける初期アクセスでは、同期信号ブロック（ＳＳＢ：Synchronization  Signal  Block）の検出、ブロードキャストチャネル（ＰＢＣＨ：Physical  Broadcast  Channel、Ｐ−ＢＣＨ等ともいう）によって伝送されるブロードキャスト情報（例えば、マスタ情報ブロック（ＭＩＢ：Master  Information  Block））の取得、ランダムアクセスによる接続の確立の少なくとも一つが行われる。【０００５】
ここで、ＳＳＢとは、同期信号（例えば、プライマリ同期信号（ＰＳＳ：Primary  Synchronization  Signal）、セカンダリ同期信号（ＳＳＳ：Secondary  Synchronization  Signal））及びＰＢＣＨの少なくとも一つを含む信号ブロックであり、ＳＳ／ＰＢＣＨブロック等とも呼ばれる。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（以下、ＮＲともいう）では、一以上のユーザ端末（ＵＥ：User  Equipment）に共通のサーチスペース（共通サーチスペース（ＣＳＳ：Common  Search  Space））用の制御リソースセット（ＣＯＲＥＳＥＴ：Control  Resource  Set）がＵＥに設定されることが想定される。【０００８】
例えば、当該ＣＯＲＥＳＥＴは、ＭＩＢ内のパラメータ（例えば、pdcch-ConfigSIB1）、又は、下り制御チャネル（例えば、ＰＤＣＣＨ：Physical  Downlink  Control  Channel）に関するセルに共通の設定（configuration）情報（例えば、PDCCH-ConfigCommon）に含まれるパラメータ（例えば、controlResourceSetZero）のどちらかに基づいて決定されることが検討されている。【０００９】
しかしながら、ＵＥは、ＭＩＢ内のパラメータ（例えば、pdcch-ConfigSIB1）又は当該設定情報（例えば、PDCCH-ConfigCommon）内のパラメータのどちらを参照すべきかを適切に判断できない結果、共通サーチスペース用の制御リソースセットを適切に設定できない恐れがある。【００１０】
そこで、本開示は、共通サーチスペース用の制御リソースセットを適切に設定可能なユーザ端末を提供することを目的の１つとする。
【課題を解決するための手段】
【００１１】
本開示の一態様に係るユーザ端末は、セルにおいてマスタ情報ブロック（ＭＩＢ）を受信する受信部と、前記セルの周波数範囲及び前記ＭＩＢ内の第１のパラメータに基づいて決定される値に基づいて、前記ＭＩＢ又は下り制御チャネルに関するセル固有の設定情報のどちらに基づいて、共通サーチスペース用の制御リソースセットを設定するかを決定する制御部と、を具備することを特徴とする。
【発明の効果】
【００１２】
本開示の一態様によれば、共通サーチスペース用の制御リソースセットを適切に設定できる。
【図面の簡単な説明】
【００１３】
【図１】図１は、ＭＩＢに基づくＣＯＲＥＳＥＴ＃０の設定の一例を示す図である。
【図２】図２は、ＳＩＢ１に基づくＣＯＲＥＳＥＴ＃０の設定の一例を示す図である。
【図３】図３は、ＲＲＣ再構成メッセージに含まれるに基づくＣＯＲＥＳＥＴ＃０の設定の一例を示す図である。
【図４】図４は、一実施形態に係るＣＯＲＥＳＥＴ＃０の設定の一例を示すフローチャートである。
【図５】図５Ａ及び５Ｂは、一実施形態に係るｋＳＳＢの一例を示す図である。
【図６】図６は、一実施形態に係る無線通信システムの概略構成の一例を示す図である。
【図７】図７は、一実施形態に係る基地局の構成の一例を示す図である。
【図８】図８は、一実施形態に係るユーザ端末の構成の一例を示す図である。
【図９】図９は、一実施形態に係る基地局及びユーザ端末のハードウェア構成の一例を示す図である。
【発明を実施するための形態】
【００１４】
（ＣＯＲＥＳＥＴ及びサーチスペース）
将来の無線通信システム（以下、ＮＲという）においては、物理レイヤの制御信号（例えば、下り制御情報（ＤＣＩ：Downlink  Control  Information））を、基地局からユーザ端末（ＵＥ：User  Equipment）に対して送信するために、制御リソースセット（ＣＯＲＥＳＥＴ：COntrol  REsource  SET）が利用されることが検討されている。
【００１５】
ＣＯＲＥＳＥＴは、下り制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば、１又は２シンボル等）を含んで構成されてもよい。ＰＤＣＣＨ（又はＤＣＩ）は、ＣＯＲＥＳＥＴ内の所定のリソース単位にマッピングされる。
【００１６】
また、ＮＲにおいて、ＵＥは、一以上のサーチスペース（ＳＳ：Search  Space）のセットを監視（monitor）（ブラインド復号）して、ＤＣＩを検出する。当該サーチスペースには、一以上のＵＥに共通の（セル固有の）ＤＣＩの監視に用いられる一以上のサーチスペース（共通サーチスペース（ＣＳＳ：Common  Search  Space））と、ＵＥ固有のＤＣＩの監視に用いられる一以上のサーチスペース（ユーザ固有サーチスペース（ＵＳＳ：User-specific  Search  Space））とが含まれてもよい。
【００１７】
ＣＳＳには、以下の少なくとも一つのタイプが含まれてもよい。なお、以下の各タイプのＣＳＳは、一以上のＣＳＳのセット（ＣＳＳセット）と言い換えられてもよい。
・タイプ０−ＰＤＣＣＨ  ＣＳＳ
・タイプ０Ａ−ＰＤＣＣＨ  ＣＳＳ
・タイプ１−ＰＤＣＣＨ  ＣＳＳ
・タイプ２−ＰＤＣＣＨ  ＣＳＳ
・タイプ３−ＰＤＣＣＨ  ＣＳＳ
【００１８】
タイプ０−ＰＤＣＣＨ  ＣＳＳは、所定のセル（例えば、プライマリセル）において所定の識別子（例えば、ＳＩ−ＲＮＴＩ：System  Information−Radio  Network  Temporary  Identifier）で巡回冗長検査（ＣＲＣ：Cyclic  Redundancy  Check）スクランブルされるＤＣＩの監視に用いられる。なお、ＣＲＣスクランブルとは、ＤＣＩに対して、所定の識別子でスクランブル（マスク）されるＣＲＣビットを付加する（含める）ことである。
【００１９】
ＵＥは、タイプ０−ＰＤＣＣＨ  ＣＳＳで検出されるＤＣＩに基づいて、システム情報ブロック（ＳＩＢ：System  Information  Block）１を受信してもよい。タイプ０−ＰＤＣＣＨ  ＣＳＳは、サーチスペース＃０、共通サーチスペース＃０、ＳＩＢ１用のＳＳ、ＲＭＳＩ（Remaining  Minimum  System  Information）用のＳＳ等とも呼ばれる。
【００２０】
タイプ０−ＰＤＣＣＨ  ＣＳＳは、以下のいずれかのパラメータ（情報項目（ＩＥ：Information  Element）、単に、情報等ともいう）によって設定（configure）されてもよい。
・マスタ情報ブロック（ＭＩＢ：Master  Information  Block）内のパラメータ（例えば、pdcch-ConfigSIB1内の所定数のビット、又は、RMSI-PDCCH-Config内の所定数のビット）
・ＰＤＣＣＨに関するセル固有の設定（configuration）情報（PDCCH-ConfigCommon等ともいう）内のパラメータ（例えば、searchSpaceSIB1又はsearchSpaceZero）、なお、当該PDCCH-ConfigCommonは、ＳＩＢ１内に含まれてもよいし、又は、ＵＥ固有に無線リソース制御（ＲＲＣ：Radio  Resource  Control）シグナリングされてもよい（ＲＲＣ再設定（reconfiguration）メッセージ内に含まれてもよい）。
【００２１】
タイプ０Ａ−ＰＤＣＣＨ  ＣＳＳは、所定のセル（例えば、プライマリセル）における所定の識別子（例えば、ＳＩ−ＲＮＴＩ）でＣＲＣスクランブルされるＤＣＩの監視に用いられる。タイプ０Ａ−ＰＤＣＣＨ  ＣＳＳは、ＯＳＩ（Other  System  Information）（例えば、ＳＩＢ２以降）用のＳＳ等とも呼ばれる。タイプ０Ａ−ＰＤＣＣＨ  ＣＳＳは、上記PDCCH-ConfigCommon内のパラメータ（例えば、searchSpaceOtherSystemInformation）によって設定されてもよい。
【００２２】
タイプ１−ＰＤＣＣＨ  ＣＳＳは、所定のセル（例えば、プライマリセル）における所定の識別子（例えば、ＲＡ−ＲＮＴＩ（Random  Access−RNTI）、ＴＣ−ＲＮＴＩ（Temporary  Cell−RNTI））でＣＲＣスクランブルされるＤＣＩの監視に用いられる。タイプ１−ＰＤＣＣＨ  ＣＳＳは、ランダムアクセス（ＲＡ）用のＳＳ等とも呼ばれる。タイプ０Ａ−ＰＤＣＣＨ  ＣＳＳは、上記PDCCH-ConfigCommon内のパラメータ（例えば、ra-SearchSpace）によって設定されてもよい。
【００２３】
ＵＥは、タイプ１−ＰＤＣＣＨ  ＣＳＳで検出されるＤＣＩに基づいて、ＲＡ手順用のメッセージ（例えば、ランダムアクセス応答（Random  Access  Response：ＲＡＲ、メッセージ２）、衝突解決用メッセージ（メッセージ４））等を受信してもよい。
【００２４】
タイプ２−ＰＤＣＣＨ  ＣＳＳは、所定のセル（例えば、プライマリセル）における所定の識別子（例えば、Ｐ−ＲＮＴＩ（Paging−RNTI））でＣＲＣスクランブルされるＤＣＩの監視に用いられる。タイプ２−ＰＤＣＣＨ  ＣＳＳは、ページング用のＳＳ等とも呼ばれる。タイプ２−ＰＤＣＣＨ  ＣＳＳは、上記PDCCH-ConfigCommon内のパラメータ（例えば、pagingSearchSpace）によって設定されてもよい。ＵＥは、タイプ２−ＰＤＣＣＨ  ＣＳＳで検出されるＤＣＩに基づいて、ページングメッセージを受信してもよい。
【００２５】
タイプ３−ＰＤＣＣＨ  ＣＳＳは、所定の識別子（例えば、ＤＬプリエンプション指示用のＩＮＴ−ＲＮＴＩ（Interruption  RNTI）、スロットフォーマット指示用のＳＦＩ−ＲＮＴＩ（Slot  Format  Indicator  RNTI）、ＰＵＳＣＨ（Physical  Uplink  Shared  Channel）の送信電力制御（ＴＰＣ：Transmit  Power  Control）用のＴＰＣ−ＰＵＳＣＨ−ＲＮＴＩ、ＰＵＣＣＨ（Physical  Uplink  Control  Channel）のＴＰＣ用のＴＰＣ−ＰＵＣＣＨ−ＲＮＴＩ、ＳＲＳ（Sounding  Reference  Signal）のＴＰＣ用のＴＰＣ−ＳＲＳ−ＲＮＴＩ、Ｃ−ＲＮＴＩ、ＭＣＳ−Ｃ−ＲＮＴＩ、ＣＳ−ＲＮＴＩ）でＣＲＣスクランブルされるＤＣＩの監視に用いられる。
【００２６】
タイプ３−ＰＤＣＣＨ  ＣＳＳは、所定のパラメータ（例えば、サーチスペースタイプがcommonであるＰＤＣＣＨの設定情報（PDCCH-Config等ともいう）内のSearchSpace）によって設定されてもよい。
【００２７】
以上のようなＣＳＳ用のＣＯＲＥＳＥＴは、ＣＯＲＥＳＥＴ＃０、共通ＣＯＲＥＳＥＴとも呼ばれる。ＣＯＲＥＳＥＴ＃０は、以下のパラメータ（１）〜（３）のいずれかに基づいてＵＥに設定できる。
（１）ＭＩＢ内のパラメータ（例えば、pdcch-ConfigSIB1の所定数のビット）
（２）ＳＩＢ１内のPDCCH-ConfigCommon内のパラメータ（例えば、controlResourceSetZero）
（３）ＵＥ固有にＲＲＣシグナリングされる（ＲＲＣ再構成メッセージに含まれる）ServingCellConfigCommonに含まれるPDCCH-ConfigCommon内のパラメータ（例えば、controlResourceSetZero）
【００２８】
例えば、（１）ＵＥは、ＭＩＢ内のpdcch-ConfigSIB1の所定数の最上位（ＭＳＢ：most  significant  bit）ビット（例えば、４ＭＳＢビット）が示すインデックスに基づいて、ＣＯＲＥＳＥＴ＃０に関する情報（例えば、リソースブロック（物理リソースブロック（ＰＲＢ：Physical  Resource  Block）等ともいう）の数、シンボル数、オフセット等）を決定する。
【００２９】
なお、ＣＯＲＥＳＥＴ＃０のＲＢ数は、帯域幅、初期の帯域幅部分（初期ＢＷＰ：Initial  Bandwidth  Part）の帯域幅、周波数領域等と呼ばれてもよい。
【００３０】
また、ＭＩＢは、セルサーチにおいて検出される同期信号ブロック（ＳＳＢ：Synchronization  Signal  Block）に基づいて取得されてもよい。ここで、ＳＳＢは、同期信号（ＳＳ：Synchronization  Signal）及びブロードキャストチャネル（ＰＢＣＨ：Physical  Broadcast  Channel、ＰＢＣＨ等ともいう）の少なくとも一つを含むブロックである。ＳＳＢは、ＳＳ／ＰＢＣＨブロック等とも呼ばれる。
【００３１】
同期信号（ＳＳ）は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。
【００３２】
セルサーチにおいて、ＵＥは、ＳＳＢを受信する期間（受信機会（reception  occasion））を想定する。当該受信機会は、例えば、連続する複数のシンボルであってもよい。ＵＥは、ＳＳ／ＰＢＣＨを検出すると、ＰＢＣＨによって伝送（ブロードキャスト）されるＭＩＢを取得する。
【００３３】
図１は、ＭＩＢに基づくＣＯＲＥＳＥＴ＃０の設定の一例を示す図である。図１に示すように、ＭＩＢには、システム情報（例えば、ＳＩＢ１又はＲＭＳＩ等）用のＰＤＣＣＨに関する設定情報（pdcch-ConfigSIB1又はRMSI-PDCCH-Config等ともいう）が含まれてもよい。なお、図１に示すＭＩＢ内のパラメータ及び当該パラメータの階層構造は一例にすぎず、一部のパラメータ（階層）が省略されてもよいし、追加されてもよい。
【００３４】
図１に示すように、ＭＩＢ内のpdcch-ConfigSIB1は、ＣＯＲＥＳＥＴ＃０の設定に用いられる情報（ControlResourceSetZero等ともいう）を含んでもよい。例えば、図１では、ＵＥは、pdcch-ConfigSIB1内のControlResourceSetZeroが示すインデックスに関連付けられるＲＢ数（ＮＣＯＲＥＳＥＴＲＢ）、シンボル数（ＮＣＯＲＥＳＥＴｓｙｍｂ）、オフセットの少なくとも一つに基づいてＣＯＲＥＳＥＴ＃０を設定してもよい。
【００３５】
或いは、（２）ＵＥは、ＳＩＢ１内のPDCCH-ConfigCommon内のパラメータ（例えば、controlResourceSetZero）が示すインデックスに基づいて、上記ＣＯＲＥＳＥＴ＃０に関する情報を決定してもよい。
【００３６】
図２は、ＳＩＢ１に基づくＣＯＲＥＳＥＴ＃０の設定の一例を示す図である。なお、図２に示すＳＩＢ１内のパラメータ及び当該パラメータの階層構造は一例にすぎず、一部のパラメータ（階層）が省略されてもよいし、追加されてもよい。
【００３７】
図２に示すように、ＳＩＢ１は、ＰＤＣＣＨに関するセル固有の設定情報（PDCCH-ConfigCommon）を含み、PDCCH-ConfigCommonは、ＣＯＲＥＳＥＴ＃０の設定に用いられる情報（ControlResourceSetZero等ともいう）を含んでもよい。ＵＥは、図１で説明したように、当該ControlResourceSetZeroが示すインデックスに関連付けられるＲＢ数（ＮＣＯＲＥＳＥＴＲＢ）、シンボル数（ＮＣＯＲＥＳＥＴｓｙｍｂ）、オフセットの少なくとも一つに基づいてＣＯＲＥＳＥＴ＃０を設定してもよい。
【００３８】
或いは、（３）ＵＥは、ＵＥ固有にＲＲＣシグナリングされる（ＲＲＣ再構成メッセージに含まれる）PDCCH-ConfigCommon内のパラメータ（例えば、controlResourceSetZero）が示すインデックスに基づいて、上記ＣＯＲＥＳＥＴ＃０に関する情報を決定してもよい。
【００３９】
図３は、ＲＲＣ再構成メッセージに含まれるに基づくＣＯＲＥＳＥＴ＃０の設定の一例を示す図である。なお、図３に示すＲＲＣ再構成メッセージ内のパラメータ及び当該パラメータの階層構造は一例にすぎず、一部のパラメータ（階層）が省略されてもよいし、追加されてもよい。
【００４０】
図３に示すように、ＲＲＣ再構成メッセージ内のサービングセル（セル、コンポーネントキャリア）固有の設定情報（ServingCellConfigCommon）は、下り（Downlink）に共通の設定情報（DownlinkConfigCommon）を含んでもよい。DownlinkConfigCommonは、初期下りＢＷＰに関する情報（initialDownlinkBWP）を含んでもよい。また、初期下りＢＷＰ用には、セル固有の共通パラメータ（BWP-DownlinkCommon）が提供（provide）されてもよい。
【００４１】
BWP-DownlinkCommonは、ＰＤＣＣＨに関するセル固有の設定情報（PDCCH-ConfigCommon）を含み、PDCCH-ConfigCommonは、ＣＯＲＥＳＥＴ＃０の設定に用いられる情報（ControlResourceSetZero等ともいう）を含んでもよい。ＵＥは、図１で説明したように、当該ControlResourceSetZeroが示すインデックスに関連付けられるＲＢ数（ＮＣＯＲＥＳＥＴＲＢ）、シンボル数（ＮＣＯＲＥＳＥＴｓｙｍｂ）、オフセットの少なくとも一つに基づいてＣＯＲＥＳＥＴ＃０を設定してもよい。
【００４２】
ところで、ＵＥは、ＭＩＢ内のpdcch-ConfigSIB1に基づいて、ＣＯＲＥＳＥＴ＃０を設定しないことができる。例えば、非スタンドアローン（Non-Standalone：ＮＳＡ）（例えば、ＥＮ−ＤＣ：E-UTRA-NR  Dual  Connectivity、ＮＥ−ＤＣ：NR-E-UTRA  Dual  Connectivity等）のＮＲ用のセル（例えば、セカンダリセル）において、ＳＩＢ１（ＲＭＳＩ）が送信されない場合には、ＵＥは、ＭＩＢ内のpdcch-ConfigSIB1に基づいてＣＯＲＥＳＥＴ＃０を設定しなくともよい。
【００４３】
ＭＩＢ内のpdcch-ConfigSIB1に基づいてＣＯＲＥＳＥＴ＃０が設定されない場合、当該pdcch-ConfigSIB1は、他の用途に用いられてもよい。例えば、pdcch-ConfigSIB1は、ＵＥがＳＩＢ１とともにＳＳＢを見つけてもよい周波数位置又はネットワークがＳＩＢ１とともにＳＳＢを提供しない周波数範囲（ＦＲ：Frequency  Range）の指定に用いられてもよい。
【００４４】
ＭＩＢ内のpdcch-ConfigSIB1に基づいてＣＯＲＥＳＥＴ＃０が設定されない場合、ＭＩＢ内の所定のパラメータ（例えば、Ssb-subcarrierOffset）に基づいて決定される値（ＫＳＳＢ）は、ＳＩＢ１が存在しないこと、又は、ＭＩＢに基づいてＣＯＲＥＳＥＴ＃０が設定されないこと（すなわち、pdcch-ConfigSIB1が他の用途に用いられること）を示してもよい。
【００４５】
ここで、Ssb-subcarrierOffsetは、ＳＳＢとサブキャリア数における全体のリソースブロックグリッドとの間の周波数領域のオフセットを示すパラメータである。ＫＳＳＢは、Ssb-subcarrierOffset及びＰＢＣＨペイロード内の所定のビットに基づいて決定される値である。例えば、ＫＳＳＢの所定ビット（例えば、４ＭＳＢ）は、Ssb-subcarrierOffsetで構成され、ＫＳＳＢの残りのビット（例えば、１ＬＳＢ）は、ＰＢＣＨペイロード内の所定ビットであってもよい。ＫＳＳＢは、共通リソースブロックＮＳＳＢＣＲＢのサブキャリア０からＳＳＢのサブキャリア０に対するサブキャリアオフセットを示してもよい。ＮＳＳＢＣＲＢは、上位レイヤパラメータに基づいて決定されてもよい。例えば、ＮＳＳＢＣＲＢは、プライマリセル（ＰＣｅｌｌ）向けには、ＳＩＢ１で報知（broadcast）される上位レイヤパラメータ（offsetToPointA）に基づいて決定されてもよいし、その他のプライマリセカンダリセル（ＰＳＣｅｌｌ）、セカンダリセル（ＳＣｅｌｌ）向けにはＲＲＣ再構成（RRCreconfiguration）メッセージで通知される上位レイヤパラメータ（absoluteFrequencyPointA）で決定されてもよい。また、ＫＳＳＢのリザーブビット（reserved  bit）（特定のコードポイント）を用いて、ＭＩＢ内のpdcch-ConfigSIB1に基づいてＣＯＲＥＳＥＴ＃０が設定されるか否かがＵＥに通知されてもよい。
【００４６】
一方、ＵＥは、上述のＣＳＳの周波数領域の位置及び帯域幅（ＰＲＢ数）の少なくとも一つ（周波数位置／帯域幅）を、ＣＯＲＥＳＥＴ＃０に基づいて決定することが想定される。このため、ＵＥは、ＭＩＢ内のpdcch-ConfigSIB1に基づいてＣＯＲＥＳＥＴ＃０を設定しない場合、図２又は図３に示されるpdcch-ConfigCommon内のパラメータ（例えば、controlResourceSetZero）に基づいてＣＯＲＥＳＥＴ＃０を設定する必要がある。
【００４７】
しかしながら、ＳＩＢ１内のpdcch-ConfigCommon（例えば、図２）又はＲＲＣ再構成メッセージ内のpdcch-ConfigCommon（例えば、図３）がＣＯＲＥＳＥＴ＃０の設定用のパラメータ（例えば、controlResourceSetZero）を含むことは必須（mandatory）ではなく、任意（option）である。
【００４８】
このため、ＵＥは、ＣＯＲＥＳＥＴ＃０を設定するために、ＭＩＢ内のpdcch-ConfigSIB1又はPDCCH-ConfigCommon内のパラメータのどちらを参照すべきかを適切に判断できない恐れがある。この場合、ＵＥは、ＣＯＲＥＳＥＴ＃０を適切に設定できない結果、ＣＳＳ用の周波数位置／帯域幅を適切に決定できない恐れもある。
【００４９】
そこで、本発明者らは、ＭＩＢ内の所定のパラメータ（例えば、Ssb-subcarrierOffset）に基づいて決定される値（例えば、ｋＳＳＢ）に基づいて、ＭＩＢ又はpdcch-ConfigCommonのどちらに基づいてＣＯＲＥＳＥＴ＃０を設定するかを決定することを着想した。
【００５０】
以下、本開示の一実施形態について、図面を参照して詳細に説明する。なお、本実施形態は、ＮＳＡだけでなく、ＮＲのスタンドアローンに対して適用してもよい。また、以下では、ＣＯＲＥＳＥＴ＃０は、タイプ０−ＰＤＣＣＨ  ＣＳＳ用のＣＯＲＥＳＥＴを想定するが、これに限られず、上記どのようなタイプのＣＳＳ用のＣＯＲＥＳＥＴであってもよい。
【００５１】
また、以下では、ＭＩＢ又はpdcch-ConfigCommonのどちらに基づいてＣＯＲＥＳＥＴ＃０を設定するかの決定の用いられる「ＭＩＢ内のパラメータ」がSsb-subcarrierOffsetである例を説明するが、これに限られず、ＭＩＢ内の他のパラメータであってもよい。
【００５２】
また、以下では、ＣＯＲＥＳＥＴ＃０の決定に用いられる「ＭＩＢ内のパラメータ」は、pdcch-ConfigSIB1であるものとするが、これに限られず、ＭＩＢ内の他のパラメータであってもよい。また、ＣＯＲＥＳＥＴ＃０の決定に用いられる「ＰＤＣＣＨに関するセル固有の設定情報に含まれるパラメータ」は、pdcch-ConfigCommon内のcontrolResourceSetZeroであるものとするが、これに限られず、ＳＩＢ１又はＲＲＣ再構成メッセージに含まれるどのようなパラメータであってもよい。
【００５３】
（無線通信方法）
本開示の一実施形態に係る無線通信方法において、ＵＥは、セルにおいてマスタ情報ブロック（ＭＩＢ）を受信する。ＵＥは、セルの周波数範囲（ＦＲ）及びＭＩＢ内のSsb-subcarrierOffsetに基づいて決定されるＫＳＳＢに基づいて、ＭＩＢ又はpdcch-ConfigCommonのどちらに基づいて、ＣＯＲＥＳＥＴ＃０を設定するかを決定する。
【００５４】
図４は、一実施形態に係るＣＯＲＥＳＥＴ＃０の設定の一例を示すフローチャートである。図４のステップＳ１０１において、あるセルにおいてＳＳＢを検出する。ＵＥは、ＳＳＢ内のＰＢＣＨを介してブロードキャストされるＭＩＢを取得する。
【００５５】
ステップＳ１０２において、ＦＲ及びＭＩＢ内のSsb-subcarrierOffsetに基づいて決定されるｋＳＳＢを判定する。ここで、ＦＲは、ＦＲ１及びＦＲ２を含んでもよい。ＦＲ１は、６ＧＨｚよりも低い周波数帯（第１の周波数帯）であってもよい。ＦＲ２は、６ＧＨｚよりも高い周波数帯（第１の周波数帯よりも高い第２の周波数帯）であってもよい。ＦＲ２は、２４ＧＨｚよりも高い周波数帯であっても良く、ミリ波（millimeter  wave）などと呼ばれてもよい。
【００５６】
ｋＳＳＢがＦＲ毎の所定の閾値以下（例えば、ＦＲ１用のｋＳＳＢが２３以下又はＦＲ２用のｋＳＳＢが１１以下）である場合、ステップＳ１０３において、ＵＥは、ＭＩＢ内のpdcch-ConfigSIB1（例えば、図１）に基づいてＣＯＲＥＳＥＴ＃０を設定すること（すなわち、ＭＩＢ内にＣＯＲＥＳＥＴ＃０が存在すること）を決定してもよい。
【００５７】
具体的には、ＵＥは、pdcch-ConfigSIB1内の所定数のＭＳＢ（例えば、４ＭＳＢ）に基づいて、ＣＯＲＥＳＥＴ＃０の連続するリソースブロック数及び連続するシンボル数を設定してもよい（例えば、図１に示すテーブル参照）。また、ＵＥは、pdcch-ConfigSIB1内の所定数のＬＳＢ（例えば、４ＬＳＢ）に基づいて、ＰＤＣＣＨの監視機会（monitoring  occasion）を決定してもよい。
【００５８】
一方、ｋＳＳＢがＦＲ毎の所定の閾値より大きい（例えば、ＦＲ１用のｋＳＳＢが２３より大きい又はＦＲ２用のｋＳＳＢが１１より大きい）場合、ステップＳ１０４において、ＵＥは、pdcch-ConfigCommon内のcontrolResourceSetZero（例えば、図２又は３）に基づいてＣＯＲＥＳＥＴ＃０を設定すること（すなわち、ＭＩＢ内にＣＯＲＥＳＥＴ＃０が存在せず、pdcch-ConfigCommon内にＣＯＲＥＳＥＴ＃０が存在すること）を決定してもよい。
【００５９】
具体的には、ＵＥは、pdcch-ConfigCommon内のcontrolResourceSetZeroに基づいて、ＣＯＲＥＳＥＴ＃０の連続するリソースブロック数及び連続するシンボル数を設定してもよい（例えば、図１に示すテーブル参照）。また、ＵＥは、pdcch-ConfigCommon内のcontrolResourceSetZeroに基づいて、ＰＤＣＣＨの監視機会を決定してもよい。
【００６０】
なお、図４に示す判定は、例えば、初期セル選択（initial  cell  selection）で行われてもよい。
【００６１】
図５は、ＫＳＳＢの一例を示す図である。図５Ａは、ＦＲ１用のＫＳＳＢの一例、図５Ｂは、ＦＲ２用のＫＳＳＢの一例が示される。ＵＥが、第１のＳＳＢを検出し、かつ、ＦＲ１用のＫＳＳＢが上記所定の閾値より大きい場合（例えば、２４以上２９以下である）、又は、ＦＲ２用のＫＳＳＢが上記所定の閾値より大きい（例えば、１２以上１３以下である）場合、上述のステップ１０４において、ＵＥは、ＭＩＢ内にＣＯＲＥＳＥＴ＃０が存在しないと決定する。
【００６２】
この場合、ＵＥは、図５Ａ又は５Ｂに示されるテーブルを参照し、ＫＳＳＢに関連付けられる与えられるグローバル同期チャネル番号（ＧＳＣＮ：Global  synchronization  channel  number）のオフセット（ＮＯｆｆｓｅｔＧＳＣＮ）に基づいて、ＣＯＲＥＳＥＴ＃０を有する第２のＳＳＢの周波数方向に最も近いＧＳＣＮを決定してもよい。なお、ＧＳＣＮは、同期ラスタの位置を示してもよい。
【００６３】
上記無線通信方法によれば、ＭＩＢ内の所定のパラメータ（例えば、Ssb-subcarrierOffset）に基づいて決定される値（例えば、ｋＳＳＢ）に基づいて、ＭＩＢ又はpdcch-ConfigCommonのどちらに基づいてＣＯＲＥＳＥＴ＃０を設定するかを適切に決定でき、ＣＯＲＥＳＥＴ＃０を適切に設定できる。
【００６４】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００６５】
図６は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【００６６】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【００６７】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【００６８】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【００６９】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【００７０】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【００７１】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【００７２】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【００７３】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【００７４】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【００７５】
ユーザ端末２０は、ＬＴＥ、ＬＴＥ−Ａ、５Ｇなどの通信方式の少なくとも１つに対応した端末であってもよい。
【００７６】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【００７７】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【００７８】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【００７９】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【００８０】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【００８１】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【００８２】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【００８３】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【００８４】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【００８５】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【００８６】
なお、本開示において下りリンク、上りリンクなどは「リンク」を付けずに表現されてもよい。また、各種チャネルの先頭に「物理（Physical）」を付けずに表現されてもよい。
【００８７】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【００８８】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【００８９】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【００９０】
（基地局）
図７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【００９１】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【００９２】
制御部１１０は、基地局１０全体の制御を実施する。制御部１１０は、本開示に係る技術分野での共通認識に基づいて説明されるコントローラ、制御回路などから構成することができる。
【００９３】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【００９４】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【００９５】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【００９６】
送受信アンテナ１３０は、本開示に係る技術分野での共通認識に基づいて説明されるアンテナ、例えばアレイアンテナなどから構成することができる。
【００９７】
送受信部１２０は、上述の下りリンクチャネル、同期信号、下りリンク参照信号などを送信してもよい。送受信部１２０は、上述の上りリンクチャネル、上りリンク参照信号などを受信してもよい。
【００９８】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【００９９】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１００】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１０１】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１０２】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１０３】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１０４】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１０５】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１０６】
なお、本開示における基地局１０の送信部及び受信部は、送受信部１２０、送受信アンテナ１３０及び伝送路インターフェース１４０の少なくとも１つによって構成されてもよい。
【０１０７】
なお、送受信部１２０は、セルにおいてマスタ情報ブロック（ＭＩＢ）、システム情報ブロック（ＳＩＢ）１、ＲＲＣ再構成メッセージの少なくとも一つを送信してもよい。
【０１０８】
制御部１１０は、前記セルの周波数範囲及び前記ＭＩＢ内の第１のパラメータに基づいて決定される値（例えば、ＫＳＳＢ）に基づいて、前記ＭＩＢ又は下り制御チャネルに関するセル固有の設定情報のどちらに基づいて、共通サーチスペース用の制御リソースセットを設定するかを決定してもよい。
【０１０９】
制御部１１０は、前記第１のパラメータに基づいて決定される値が前記周波数範囲毎に定められる所定の閾値以下である場合、前記ＭＩＢ内の第２のパラメータに基づいて前記制御リソースセットを設定してもよい。
【０１１０】
制御部１１０は、前記第１のパラメータに基づいて決定される値が前記周波数範囲毎に定められる所定の閾値より大きい場合、前記セル固有の設定情報内のパラメータに基づいて前記制御リソースセットを設定してもよい。
【０１１１】
（ユーザ端末）
図８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１１２】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１１３】
制御部２１０は、ユーザ端末２０全体の制御を実施する。制御部２１０は、本開示に係る技術分野での共通認識に基づいて説明されるコントローラ、制御回路などから構成することができる。
【０１１４】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１１５】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１１６】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１１７】
送受信アンテナ２３０は、本開示に係る技術分野での共通認識に基づいて説明されるアンテナ、例えばアレイアンテナなどから構成することができる。
【０１１８】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１１９】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１２０】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１２１】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１２２】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１２３】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１２４】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１２５】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１２６】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１２７】
なお、本開示におけるユーザ端末２０の送信部及び受信部は、送受信部２２０、送受信アンテナ２３０及び伝送路インターフェース２４０の少なくとも１つによって構成されてもよい。
【０１２８】
なお、送受信部２２０は、セルにおいてマスタ情報ブロック（ＭＩＢ）、システム情報ブロック（ＳＩＢ）１、ＲＲＣ再構成メッセージの少なくとも一つを受信してもよい。
【０１２９】
制御部２１０は、前記セルの周波数範囲及び前記ＭＩＢ内の第１のパラメータに基づいて決定される値（例えば、ＫＳＳＢ）に基づいて、前記ＭＩＢ又は下り制御チャネルに関するセル固有の設定情報のどちらに基づいて、共通サーチスペース用の制御リソースセットを設定するかを決定してもよい。
【０１３０】
制御部２１０は、前記第１のパラメータに基づいて決定される値が前記周波数範囲毎に定められる所定の閾値以下である場合、前記ＭＩＢ内の第２のパラメータに基づいて前記制御リソースセットを設定してもよい。
【０１３１】
制御部２１０は、前記第１のパラメータに基づいて決定される値が前記周波数範囲毎に定められる所定の閾値より大きい場合、前記セル固有の設定情報内のパラメータに基づいて前記制御リソースセットを設定してもよい。
【０１３２】
制御部２１０は、前記第１のパラメータに基づいて、同期信号ブロックとサブキャリア数で示される全体のリソースブロックとの間の周波数領域のオフセットを決定してもよい。
【０１３３】
制御部２１０は、第２のパラメータに基づいて、前記制御リソースセット内のリソースブロック数及びシンボル数の少なくとも一つを決定してもよい。
【０１３４】
前記セル固有の設定情報は、システム情報ブロック１又は無線リソース制御（ＲＲＣ）再構成メッセージに含まれてもよい。
【０１３５】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１３６】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１３７】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３８】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１３９】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１４０】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１４１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１４２】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１４３】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１４４】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１４５】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１４６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４７】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４８】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１４９】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５０】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１５１】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１５２】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１５３】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１５４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１５５】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５６】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５７】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１５８】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５９】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１６０】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６１】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１６２】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１６３】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１６４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１６５】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１６６】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１６７】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１６８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１６９】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７０】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７２】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１７３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１７４】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１７５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１７６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１７７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１７８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１７９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１８０】
本開示において使用する「システム」及び「ネットワーク」という用語は、互換的に使用され得る。「ネットワーク」は、ネットワークに含まれる装置（例えば、基地局）のことを意味してもよい。
【０１８１】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０１８２】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１８３】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１８４】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１８５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１８６】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１８７】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１８８】
同様に、本開示におけるユーザ端末は、基地局で読み替えてもよい。この場合、上述のユーザ端末２０が有する機能を基地局１０が有する構成としてもよい。
【０１８９】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９０】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１９１】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０１９２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９３】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０１９４】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０１９５】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０１９６】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９７】
また、「判断（決定）」は、「想定する（assuming）」、「期待する（expecting）」、「みなす（considering）」などで読み替えられてもよい。
【０１９８】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０１９９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２００】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２０１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２０２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２０３】
本開示において、例えば、英語でのa,  an及びtheのように、翻訳によって冠詞が追加された場合、本開示は、これらの冠詞の後に続く名詞が複数形であることを含んでもよい。
【０２０４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020065862.tif 000003
【図２】
2020065862.tif 000004
【図３】
2020065862.tif 000005
【図４】
2020065862.tif 000006
【図５】
2020065862.tif 000007
【図６】
2020065862.tif 000008
【図７】
2020065862.tif 000009
【図８】
2020065862.tif 000010
【図９】
2020065862.tif 000011
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
マスタ情報ブロック（ＭＩＢ）を受信する受信部と、
周波数範囲と、前記ＭＩＢ内の第１のパラメータに基づいて決定される値と、に基づいて、共通サーチスペース用の制御リソースセットの設定を決定する制御部と、
を具備することを特徴とする端末。
【請求項２】
前記第１のパラメータに基づいて決定される値が前記周波数範囲毎に定められる閾値以下である場合、前記制御部は、前記ＭＩＢ内の第２のパラメータに基づいて前記制御リソースセットを設定することを特徴とする請求項１に記載の端末。
【請求項３】
前記制御部は、前記第２のパラメータに基づいて、前記制御リソースセット内のリソースブロック数及びシンボル数の少なくとも一つを決定することを特徴とする請求項２に記載の端末。
【請求項４】
前記第１のパラメータに基づいて決定される値が前記周波数範囲毎に定められる閾値より大きい場合、前記制御部は、下り制御チャネルに関するセル固有の設定情報内の第３のパラメータに基づいて前記制御リソースセットを設定することを特徴とする請求項１から請求項３のいずれかに記載の端末。
【請求項５】
前記セル固有の設定情報は、システム情報ブロック１又は無線リソース制御（ＲＲＣ）再構成メッセージに含まれることを特徴とする請求項４に記載の端末。
【請求項６】
前記制御部は、前記第１のパラメータに基づいて、共通リソースブロックのサブキャリア０から同期信号ブロックのサブキャリア０に対するサブキャリアオフセットを決定することを特徴とする請求項１から請求項５のいずれかに記載の端末。
【請求項７】
マスタ情報ブロック（ＭＩＢ）を受信する工程と、
周波数範囲と、前記ＭＩＢ内の第１のパラメータに基づいて決定される値と、に基づいて、共通サーチスペース用の制御リソースセットの設定を決定する工程と、
を具備することを特徴とする端末の無線通信方法。
【請求項８】
基地局と端末とを有するシステムであって、
前記基地局は、マスタ情報ブロック（ＭＩＢ）を送信する送信部を具備し、
前記端末は、
前記ＭＩＢを受信する受信部と、
周波数範囲と、前記ＭＩＢ内の第１のパラメータに基づいて決定される値と、に基づいて、共通サーチスペース用の制御リソースセットの設定を決定する制御部と、を具備する、ことを特徴とするシステム。
【手続補正３】
【補正対象書類名】明細書
【補正対象項目名】００１１
【補正方法】変更
【補正の内容】
【００１１】
本開示の一態様に係る端末は、マスタ情報ブロック（ＭＩＢ）を受信する受信部と、周波数範囲と、前記ＭＩＢ内の第１のパラメータに基づいて決定される値と、に基づいて、共通サーチスペース用の制御リソースセットの設定を決定する制御部と、を具備することを特徴とする。
【国際調査報告】
2020065862.tif 000012
2020065862.tif 000013
2020065862.tif 000014